(57)【特許請求の範囲】
【請求項１】
本体ケーシング内に送風機を有し、この送風機の吸込口を覆うように整流手段を本体ケーシングのフードに間隔をおいて設けたレンジフードファンにおいて、前記整流手段を偏平断熱構造に構成したことを特徴とするレンジフードファン。
【請求項２】
前記整流手段は、内部に断熱空間層を形成したことを特徴とする請求項１記載のレンジフードファン。
【請求項３】
前記整流手段は、プレート状の下側整流メンバと上側整流メンバとを組み合せて両メンバ間に断熱空間層を形成し、上記下側整流メンバを不燃材料で形成するとともに、少なくとも一方の整流メンバは一面が開口したボックス形状に形成したことを特徴とする請求項１記載のレンジフードファン。
【請求項４】
前記上側整流メンバと下側整流メンバは、一面が開口したボックス形状に形成するとともに、開口部同士が対向するように組み合せて一体的に構成したことを特徴とする請求項３記載のレンジフードファン。
【請求項５】
前記上側整流メンバと下側整流メンバとを組み合わせたとき、少なくとも外側に位置する整流メンバの周辺立上り部を絞り加工により形成したことを特徴とする請求項３または４記載のレンジフードファン。
【請求項６】
前記整流手段は、組み合わされる上側整流メンバと下側整流メンバとの間の断熱空間層に断熱材を設けたことを特徴とする請求項３記載のレンジフードファン。
【請求項７】
前記整流手段は、上側整流メンバの周辺立上り部と下側整流メンバの周辺立上り部との間に周方向の側方空間部を設け、この側方空間部に断熱材を設けたことを特徴とする請求項４記載のレンジフードファン。
【請求項８】
前記整流手段は、上側整流メンバに本体ケーシングへの係合取付手段を設けた請求項３記載のレンジフードファン。
【請求項９】
前記整流手段は、偏平断熱構造の外表面が撥油性の皮膜で被覆されたことを特徴とする請求項１記載のレンジフードファン。
【請求項１０】
前記整流手段は、整流メンバの上面に断熱材を設けたことを特徴とする請求項１記載のレンジフードファン。
【請求項１１】
前記整流手段は、整流メンバを断熱材料で形成したことを特徴とする請求項１記載のレンジフードファン。
【請求項１２】
前記整流手段の偏平断熱構造は、下面をフラット状に、上面を中央部が窪んだ凹状に形成したことを特徴とする請求項１記載のレンジフードファン。
【発明の詳細な説明】
【０００１】
【発明の属する技術分野】
本発明は、送風機を内部に備えたレンジフードファンに係り、特に、整流板の表面に発生する結露を防止するレンジフードファンに関する。
【０００２】
【従来の技術】
一般に、この種のレンジフードファンは、特許第２５０８９０１号公報や特開２００１−４１８１号公報に記載したように構成されており、調理で発生した燃焼ガスや油煙・蒸気を効率よく捕獲し、送風機により屋外に排出するようになっている。
【０００３】
最近では、ガスコンロ、ガスレンジのガス調理器から火災発生の防止を目的として誘導加熱ヒータ（Ｉｎｄｕｃｔｉｏｎ  Ｈｅａｔｉｎｇ  ヒータ：ＩＨヒータ）を利用した電磁調理器が普及しつつある。
【０００４】
しかし、調理器具として電磁調理器を採用した場合、レンジフードファンの整流板に結露が発生し、発生した結露が次第に成長して液滴となって滴下する問題が生じることを知見した。
【０００５】
レンジフードファンの結露発生問題はガスコンロの場合には生じていない。ガスコンロでは、燃料ガスの燃焼による高温の燃焼ガスが図１０に示すようにレンジフードファン１の整流板２に案内されて本体ケーシング（フード本体）３内に案内され、送風機４の吸込口５から吸引されるようになっている。送風機４で吸引された燃焼ガスや蒸気は続いて送風機４から送風され、排出口６より外部に排出されるようになっている。
【０００６】
その際、レンジフードファン１の整流板２に導かれて整流板２の吸込口５に案内される空気は、燃焼ガスで加熱されて温まっている。このため、整流板２の表面温度と背面側の裏面温度との間に大きな温度差が生じることがなく、整流板２に結露が生じるのを有効的に防止でき、結露問題が生じることはなかった。
【０００７】
しかし、誘導加熱ヒータを備えた電磁調理器を用いると、電磁調理器による調理によって周囲温度が殆ど上昇しない。このため、調理中の鍋から発生する蒸気により、整流板２の下面（表面）は温められるが、整流板２の背面側を流れる空気は温度上昇することが少なく、冷たい。
【０００８】
【発明が解決しようとする課題】
冬場や空気調和機の冷房運転中に電磁調理器を用いて調理すると、整流板２の表面（下面）に鍋や薬缶から発生する上昇蒸気が接触して結露が生じ、この結露が次第に成長すると液滴となって滴下する問題があった。発生した結露が水滴等となって滴下すると、調理場を汚し、清潔感が損なわれる問題があった。
【０００９】
本発明は、上述した事情を考慮してなされたもので、整流板表面に結露が生じるのを未然にかつ有効的に防止し、調理場を清潔に保つことができるレンジフードファンを提供することを目的とする。
【００１０】
本発明の他の目的は、安全性に優れ、清掃を簡単かつスムーズに行なうことができるレンジフードファンを提供することにある。
【００１１】
本発明の別の目的は、整流板の取付構造を簡素化して商品性を向上させ、整流板の着脱性やその自由度を向上させたレンジフードファンを提供するにある。
【００１２】
【課題を解決するための手段】
本発明に係るレンジフードファンは、上述した課題を解決するために、請求項１に記載したように、本体ケーシング内に送風機を有し、この送風機の吸込口を覆うように整流手段を本体ケーシングのフードに間隔をおいて設けたレンジフードファンにおいて、前記整流手段を偏平断熱構造に構成したものである。
【００１３】
また、上述した課題を解決するために、本発明に係るレンジフードファンは、請求項２に記載したように、前記整流手段は、内部に断熱空間層を形成したものであり、さらに、請求項３に記載したように、前記整流手段は、プレート状の下側整流メンバと上側整流メンバとを組み合せて両メンバ間に断熱空間層を形成し、上記下側整流メンバを不燃材料で形成するとともに、少なくとも一方の整流メンバは一面が開口したボックス形状に形成したものであり、さらにまた、請求項４に記載したように、前記上側整流メンバと下側整流メンバは、一面が開口したボックス形状に形成するとともに、開口部同士が対向するように組み合せて一体的に構成したものである。
【００１４】
さらに、上述した課題を解決するために、本発明に係るレンジフードファンは、請求項５に記載したように、前記上側整流メンバと下側整流メンバとを組み合わせたとき、少なくとも外側に位置する整流メンバの周辺立上り部を絞り加工により形成したものであり、また、請求項６に記載したように、前記整流手段は、組み合わされる上側整流メンバと下側整流メンバとの間の断熱空間層に断熱材を設けたものであり、さらに、請求項７に記載したように、前記整流手段は、上側整流メンバの周辺立上り部と下側整流メンバの周辺立上り部との間に周方向の側方空間部を設け、この側方空間部に断熱材を設けたものであり、さらにまた、請求項８に記載したように、前記整流手段は、上側整流メンバに本体ケーシングへの係合取付手段を設けたものである。
【００１５】
また、上述した課題を解決するために、本発明に係るレンジフードファンは、請求項９に記載したように、前記整流手段は、偏平断熱構造の外表面が撥油性の皮膜で被覆されたものであり、さらに、請求項１０に記載したように、前記整流手段は、整流メンバの上面に断熱材を設けたものであり、さらにまた、請求項１１に記載したように、前記整流手段は、整流メンバを断熱材料で形成したものであり、またさらに、請求項１２に記載したように、前記整流手段の偏平断熱構造は、下面をフラット状に、上面を中央部が窪んだ凹状に形成したものである。
【００１６】
【発明の実施の形態】
本発明に係るレンジフードファンの一実施形態について添付図面を参照して説明する。
【００１７】
図１は、本発明に係るレンジフードファンの一実施形態を下方から斜め上方に向って見た全体図であり、符号１０はレンジフードファンを示す。レンジフードファン１０は例えば箱形形状のレンジ本体としての本体ケーシング１１を有し、この本体ケーシング１１の前面にレンジフードファン１０の作動を操作する操作ボタン１２が設けられる。本体ケーシング１１の下面にフード１３が設けられており、このフード１３に整流板１４が整流手段として間隔をおいて着脱自在に取り付けられる。整流板１４は偏平断熱構造に形成され、整流板１４とフード１３との間に整流板１４の周辺から送風機１５の吸込口１６に至る吸込流路１７が形成される。この吸込流路１７に沿って空気流が案内されるようになっている。
【００１８】
レンジフードファン１０の本体ケーシング１１内に送風機１５が収納される。送風機１５は電動モータ１８とこのモータ駆動のシロッコ羽根等の送風羽根１９とを有し、ファンケーシング２０で覆われている。送風機１５の吸込口１６はフード１３のベルマウス２２部に開口している。
【００１９】
一方、レンジフードファン１０の下側に露出するように整流板１４が取り付けられており、この整流板１４は偏平な矩形のボックス状をなして内部に偏平断熱構造の空気層である断熱空間層２３を形成している。整流板１４は、矩形形状以外にレンジフードファン１０の下面形状に応じて種々任意の形状に形成してもよい。
【００２０】
整流板１４は、金属等のステンレス材料、不燃性材料等のセラミックス材料で形成される。整流板１４の表面および裏面、少なくとも表面は、好ましくはシリコンやフッ素樹脂材料等の撥油性材料でコーティングされ、樹脂被膜が施される。整流板１４の清掃を円滑かつスムーズに行なうためである。
【００２１】
整流板１４は、図３および図４に示すように、プレート状の上側整流メンバ２４と下側整流メンバ２５とをほぼ同寸法に形成し、上側整流メンバ２４および下側整流メンバ２５の外周は板金プレス加工による絞り加工により周辺立上り部２６が形成され、蓋形状に絞り込まれる。絞り加工で上側整流メンバ２４と下側整流メンバ２５の外周部を絞り込むと、周辺立上り部２６のコーナ部にＲ部が形成されるため、鋭い折曲部が形成されずに安全性が向上し、外観形状が優れ、商品性を高めることができる。
【００２２】
上側整流メンバ２４および下側整流メンバ２５の外周部は折り曲げ加工で形成してもよい。しかし、折り曲げ加工により両メンバ２４，２５を形成すると外周コーナ部に鋭い角部に形成されるため、清掃時に注意を要する。上側整流メンバ２４および下側整流メンバ２５は立上り部２６により一面に開口を有する偏平ボックス形状に構成される。
【００２３】
外周部に周辺立上り部２６を有する上側整流メンバ２４と下側整流メンバ２５はほぼ同寸法に形成され、圧入・嵌合させることにより、一体的に偏平ボックス形状に構成される。両整流メンバ２４，２５は、摩擦接合による締結である焼嵌め等により強固に結合される。両整流メンバ２４，２５の結合は焼嵌め等による圧入嵌合ではなく、溶接等による固着であっても、リベット等による締結であってもよい。両整流メンバ２４，２５はいずれにしても締結され、一体化されて整流板１４が組み立てられる。
【００２４】
整流板１４の上側整流メンバ２４には、図３および図４に示すように、フック形状の引掛け金具２８およびロック爪形状の掛止め金具２９が係合取付手段として複数個、例えば２個ずつ４隅部に設けられる。その際、整流板１４は偏平ボックス形状に形成され、内部に断熱空間層２３が形成されているので、各金具２８，２９を上側整流メンバ２４にねじ止め固定でき、取付構造が簡素化され、外観形状も良好となる。整流板１４の上面および下面はほぼフラット形状に形成される。また、整流板１４の上面、具体的には上側整流メンバ２４の上面に小穴（小孔）を形成してもよい。小穴は複数個形成してもよい。
【００２５】
次にレンジフードファン１０の作用について説明する。
【００２６】
レンジフードファン１０の製造に際しては、フード本体としての本体ケーシング１１下部に整流板１４を引掛け金具２８および掛止め金具２９を利用して着脱自在に取り付ける。
【００２７】
整流板１４は、少なくとも下側整流メンバ２５が不燃性材料で形成され、この下側整流メンバ２５と上側整流メンバ２４の周辺立上り部２６，２６同士を対向させて組み合わせることにより一体的に偏平断熱構造に構成される。上側整流メンバ２４および下側整流メンバ２５は、外周部を好ましくは絞り加工により周辺立上り部２６を形成する一方、上側整流メンバ２４および下側整流メンバ２５の表面には撥油性材料の樹脂コーティングが施される。この樹脂コーティングは整流板１４を形成した後、この整流板１４に外表面に施してもよい。
【００２８】
そして、上側整流メンバ２４と下側整流メンバ２５は各立上り部周辺２６，２６を対向させて焼嵌め等により嵌合させ、偏平ボックス（円盤）状の整流板１４を一体に組み立てる。組み立てられた整流板１４の上側整流メンバ２４に引掛け金具２８および掛止め金具２９を取り付け、この引掛け金具２８および掛止め金具２９を利用して整流板１４をフード１３に間隔をおいて取り付ける。
【００２９】
整流板１４のフード１３への取付により、整流板１４の周辺から送風機１５の吸込口１６に至る吸込流路１７が形成される。送風機１５の吸込口部はフード１３のベルマウス２２により形成され、吸込流路１７に案内された空気流が送風機１５に下方からスムーズに吸い込まれるようになっている。
【００３０】
このようにして、図１および図２に示されるレンジフードファン１０が組み立てられ、製造される。製造されたレンジフードファン１０は各家庭や店等の調理場に据え付けられる。
【００３１】
据え付けられたレンジフードファン１０は、送風機１５に通電してモータ駆動させることにより作動される。送風機１５の作動により、整流板１４の周辺から空気が吸込流路１７に吸い込まれる。吸込流路１７に吸い込まれた空気流はフード１３のベルマウス２２に案内されて吸込口１６から送風機１５に吸い込まれる。送風機１５に下方から吸い込まれた空気流は続いて半径方向外方に吹き出され、ファンケーシング２０に案内されて排出口３０から外部に排出される。排出口３０には図示しない排気フードが接続され、屋外に排出されるようになっている。
【００３２】
このレンジフードファン１０においては、送風機１５の回転駆動により、室内の空気がフード１３と整流板１４の間に形成される吸込流路１７からベルマウス２２に入り、送風機１５へ下側から吸い込まれる。吸い込まれた送風機１５は、吹出方向が変えられ、ファンケーシング２０に案内されて排出口３０から屋外へ排出される。
【００３３】
その際、電磁調理器の調理により、誘導加熱ヒータの誘導加熱作用により生じた水蒸気や油煙が上昇流となって上昇し、整流板１４の下面（表面）に接触する。
【００３４】
しかし、整流板１４の表面に水蒸気や油煙の上昇流が衝突し、接触しても、整流板１４は偏平断熱構造で形成されているので、整流板１４表面に結露が生じるのを正確にかつ確実に防止できる。この場合、整流板１４は内部に断熱空間層２３が形成されており、吸込流路１７を通って屋外に排出される空気温度の影響を受けない。
【００３５】
また、電磁調理器による調理時に、誤って天ぷら油に火が付いても、整流板１４は悪影響を受けない。整流板１４は上側整流メンバ２４および下側整流メンバ２５の周辺立上り部２６，２６がフード１３で上側からカバーされるため、周辺立上り部２６，２６の結合部が外部に露出するのを有効的に防止でき、外観形状の向上を図ることができる。しかも、各整流メンバ２４，２５の周辺立上り部２６，２６を絞り加工で形成することにより、周辺コーナ部にＲ部が形成される。このために、清掃時に整流板１４のコーナ部に手が触れても、怪我をすることがなく、清掃作業を効率よく円滑に行なって、安全性をより向上させることができる。
【００３６】
整流板１４の外表面、少なくとも表面にシリコン樹脂やフッ素樹脂等の撥油性材料でコーティングすることにより、整流板１４の表面に撥油性・撥水性の被膜を施すことができ、清掃作業の作業性が向上し、作業の簡素化、能率化を図ることができる。
【００３７】
なお、このレンジフードファン１０においては、整流板１４を構成する上側整流メンバ２４および下側整流メンバ２５の外周部に周辺立上り部２６，２６を形成した例を示したが、この立上り部２６は一方の整流メンバ２４または２５に形成し、他方の整流メンバ（例えば上側整流メンバ２４）に形成する必要は必ずしもない。）
次に、本発明に係るレンジフードファンの他の実施形態を図５ないし図９を参照して説明する。
【００３８】
図５は、本発明に係るレンジフードファンの第２実施形態を示すもので、レンジフードファンに備えられる整流板１４Ａの断面構造を示す。この整流板１４Ａを除いた他の構成は、図１および図２に示すレンジフードファン１０と異ならないので、図示を省略する。
【００３９】
この整流板１４Ａは、プレート状の上側整流メンバ２４と下側整流メンバ２５とを組み合せて偏平断熱構造に形成する技術は、図２ないし図４に示される整流板１４と共通するが、上記整流板１４Ａは、両整流メンバ２４，２５内に形成される偏平な断熱空気層に断熱材３２を充填させたものである。断熱材３２としてはガラスウールや独立気泡の断熱材料、例えば発泡ウレタンや発泡スチロールがある。
【００４０】
両整流メンバ２４，２５間の断熱空気層に断熱材３２を設けることにより、空気層だけの場合より、より一層整流板２５の表面に付着する結露を確実かつ有効的に防止できる。
【００４１】
図６は、本発明に係るレンジフードファンに備えられる整流板１４Ｂの第１変形例を示すものである。他の構成は図１および図２に示すものと異ならないので、説明を省略する。
【００４２】
この整流板１４Ｂは、プレート状の下側整流メンバ２５の周辺部を絞り加工等により周辺立上り部２６を形成し、上面が開口した偏平ボックス形状に形成される。そして、下側整流メンバ２５のボックス内に形成される空間層２３に断熱材３３を設けたものである。整流板１４Ｂの周辺立上り部２６の一辺にフック状の引掛け金具２８が溶接等で複数個取り付けられ、この辺に続く周辺立上り部２６の側辺に掛止め金具２９がそれぞれ取り付けられる。そして、整流板１４Ｂに取り付けられた引掛け金具２８および掛止め金具２９により整流板１４Ｂが本体ケーシング１１のフード１３（図２参照）に着脱自在に取り付けられる。整流板１４Ｂ自体をセラミックス材料のような不燃性の断熱材料で形成してもよい。この場合には、他の断熱材料は設ける必要はない。
【００４３】
この整流板１４Ｂにおいては、下側整流メンバ２５の上面に断熱材３３を載せると、断熱材３３側表面の清掃性が悪化するが、整流板１４Ｂの下面（表面）に付着する結露は解消できるので、結露発生防止に関しては一実施形態に示す整流板１４と同等の作用効果を奏することができる。
【００４４】
図７は、整流板の第２変形例を示すものである。この変形例に示された整流板１４Ｃは、上側整流メンバ３４と下側整流メンバ３５との寸法形状を異にして形成したものである。
【００４５】
整流板１４Ｃの上側整流メンバ３４は下側整流メンバ３５と同様に周辺部が絞り加工等により絞られて周辺立上り部３６，３６が形成され、一面が開口した偏平ボックス形状に構成される。上側整流メンバ３４は下側整流メンバ３５より１廻り小さな寸法形状に形成され、両整流メンバ３４，３５は立上り部３６，３６を対向させて組み合わせることにより一体化される。
【００４６】
両整流メンバ３４，３５を組み合せて一体的に結合したとき、整流板１４Ｃの内部に偏平な断熱空気層３７が形成される一方、周辺部に側方空間部３８が周方向に形成され、この側方空間部３８に断熱材３９が設けられる。側方空間部３８は下側整流メンバ３５の立上り部３６と上側整流メンバ３４の立上り部３６との間に形成される。
【００４７】
この整流板１４Ｃの偏平断熱構造によれば、整流板の表面（下面）に発生する結露を防止できる一方、整流板１４Ｃの立上り部３６である側壁に結露が生じるのを有効的に防止できる。整流板１４Ｃを除いたレンジフードファンの全体的構成は第１実施形態に示すものと異ならないので、説明を省略する。
【００４８】
図８および図９は整流板の第３変形例を示すものである。
【００４９】
この変形例に示された整流板１４Ｄは、上側整流メンバ４０と下側整流メンバ４１のメンバ間に偏平断熱構造の断熱空間層４３を形成する構成は、第１実施形態の整流板１４と共通する。
【００５０】
この整流板１４Ｄは、プレート状の上側整流メンバ４０の中央部を凹設して凹部形状に形成する一方、下側整流メンバ４１をフラット形状に形成したものである。上側整流メンバ４０は中央部に向って下り傾斜する凹状に形成されており、図１および図２に示すレンジフードファン１０の送風機１５、フード１３および整流板１４Ｄに付着した油や水滴を外へ流出させない構造となっている。整流板１４Ｄは送風機１５やフード１３に付着した油や水滴を整流板１４Ｄの上側整流メンバ４０の中央部付近に集める構成となっている。
【００５１】
他の構成および作用は、図１ないし図２に示されるレンジフードファンと異ならないので、説明を省略する。符号４４は上側整流メンバ４０の周辺立上り部、４５は下側整流メンバ４１の周辺立上り部である。
【００５２】
なお、本発明の実施形態では、レンジフードファンにフィルタを備えない例を説明したが、このレンジフードファンにおいても、送風機の吸込側にフィルタを設けてもよいことは勿論である。この場合、フィルタは、空気流の吸込流路に設けて、フード１３のベルマウス部に設けてもよい。
【００５３】
【発明の効果】
本発明に係るレンジフードファンにおいては、電磁調理器で調理しても整流手段（整流板）の表面に結露が発生するのを未然かつ有効的に防止でき、結露の滴下による調理場の汚損を確実に防止でき、清潔感を保つことができる。
【００５４】
また、このレンジフードファンは、整流手段を偏平断熱構造で構成し、整流板を本体ケーシングに簡単かつ容易に着脱させることができ、しかも、不燃性材料で形成したので、火炎の虞もなく安全性を向上させることができる。
【００５５】
さらに、レンジフードファンを構成する上側整流メンバまたは下側整流メンバの周辺立上り部のコーナ部を滑らかに加工することができ、鋭いエッジ部がなく、機械的・物理的強度を向上させるとともに、清掃時に怪我をさせたりする損傷を未然にかつ確実に防止できる。
【００５６】
さらに、整流板の表面を撥油性材料の被膜を施すことにより、清掃作業を効率よく短時間で行なうことができ、外観性を向上させ、商品性を高めることができる。
【図面の簡単な説明】
【図１】本発明に係るレンジフードファンの一実施形態を示す全体図。
【図２】図１に示されたレンジフードファンの簡略的な断面図。
【図３】上記レンジフードファンに備えられる整流板を示す断面図。
【図４】上記整流板の分解斜視図。
【図５】本発明に係るレンジフードファンの第２実施形態を示すもので、上記レンジフードファンに備えられる整流板の断面図。
【図６】本発明に係るレンジフードファンに備えられる整流板の第１変形例を示す断面図。
【図７】本発明に係るレンジフードファンに備えられる整流板の第２変形例を示す断面図。
【図８】本発明に係るレンジフードファンに備えられる整流板の第３変形例を示す斜視図。
【図９】図８のＩＸ−ＩＸ線に沿う断面図。
【図１０】従来のレンジフードファンを示す断面図。
【符号の説明】
１０  レンジフードファン
１１  本体ケーシング（フード本体）
１３  フード
１４  整流板（整流手段）
１５  送風機
１６  吸込口
１７  吸込流路
１８  電動モータ
１９  送風羽根
２０  ファンケーシング
２２  ベルマウス
２３  断熱空気層
２４，３４，４０  上側整流メンバ
２５，３５，４１  下側整流メンバ
２６，３６  立上り部
２８  引掛け金具（係合取付手段）
２９  掛止め金具（係合取付手段）
３０  排出口
３２，３３，３９  断熱材
３７，４３  断熱空気層
３８  側方空間部
【図１】
0004443803.tif 000002
【図２】
0004443803.tif 000003
【図３】
0004443803.tif 000004
【図４】
0004443803.tif 000005
【図５】
0004443803.tif 000006
【図６】
0004443803.tif 000007
【図７】
0004443803.tif 000008
【図８】
0004443803.tif 000009
【図９】
0004443803.tif 000010
【図１０】
0004443803.tif 000011